(57)【要約】【課題】  支柱を介して表裏両面に所定間隔を設けて装着した一対のガラス板の中間に、ブラインドを設けた構造であり、ガラス板を支持する縦枠部材の表面側への露出量が小さい場合でも、スラット角度調節機構を組み込むことが可能であるブラインド内蔵間仕切装置を提供する。【解決手段】  一対の支柱の表面側と裏面側のそれぞれに亘って、ガラス板１７に縦枠部材１８と横枠部材１９を取付けたガラスパネル体２を装着し、表裏ガラスパネル体間にブラインド３を配設し、ブラインドのスラット角度調節軸を支柱内の上部に回動可能に設けた従動輪に接続する一方、支柱内の上下中間部に回動可能に動輪を設けて、従動輪と動輪とをタイミングベルトで連動させ、動輪と一体化して支柱内に配した操作輪１４の一部を支柱に形成した開口から左右に隣接するガラスパネル体間の目地部２１に臨ませてなる。【選択図】        図１
2006316556.tif 000002
【特許請求の範囲】
【請求項１】
複数の支柱を所定間隔を隔てて立設し、隣接する一対の支柱の表面側と裏面側のそれぞれに亘って、ガラス板の両側縁部と上下縁部にそれぞれ縦枠部材と横枠部材を取付けたガラスパネル体を装着し、表裏のガラスパネル体間にブラインドを配設するとともに、該ブラインドのスラット角度調節軸を前記支柱内の上部に回動可能に設けた従動輪に接続する一方、前記支柱内の上下中間部に回動可能に動輪を設けて、前記従動輪と動輪とをタイミングベルトで連動させ、前記動輪と一体化して前記支柱内に配した操作輪の一部を該支柱に形成した開口から左右に隣接する前記両ガラスパネル体間の目地部に臨ませたことを特徴とするブラインド内蔵間仕切装置。
【請求項２】
前記支柱は、側面板の前後に前面板と後面板とを有する断面略コ字形であり、前記側面板の外側に断面略コ字形の第１支持部材をその凹溝を側方へ向けて取付けるとともに、前記側面板の内側に断面略コ字形の第２支持部材をその凹溝を側方へ向けて該支柱から突出するように取付け、前記ガラスパネル体の両縦枠部材をそれぞれ前記第１支持部材と第２支持部材に係止具にて係止してなる請求項１記載のブラインド内蔵間仕切装置。
【請求項３】
前記支柱内の上端部に設けた断面略コ字形の天固定具の内部に前記従動輪を設けた連動体を取付けるとともに、前記支柱内の略全長に亘って取付けた前記第２支持部材の内部に前記動輪と操作輪を備えた駆動体を取付け、前記タイミングベルトを前記天固定具と第２支持部材の連続した内部空間に配してなる請求項１又は２記載のブラインド内蔵間仕切装置。
【請求項４】
前記ガラスパネル体の縦枠部材に、内側縁から該ガラスパネル体の背面側へ延びた内板を形成し、表裏の両ガラスパネル体を支柱を利用して装着した状態で、表裏に相対向する縦枠部材の内板同士が突き合い当接してなる請求項１〜３何れかに記載のブラインド内蔵間仕切装置。
【発明の詳細な説明】
【技術分野】
【０００１】
本発明は、ブラインド内蔵間仕切装置に係わり、更に詳しくは支柱を介して表裏両面に所定間隔を設けて装着した一対のガラス板の中間にブラインドを設けた構造のブラインド内蔵間仕切装置に関するものである。
【背景技術】
【０００２】
従来から、特許文献１に開示されているようなブラインドを内蔵した間仕切装置は提供されている。この特許文献１に記載されたブラインド内蔵間仕切パネルは、枠体に一対のガラス板を所定間隔を隔てて取付け、その中間にブラインドを設けた構造であり、凹溝又は空間を内部に有し、前記枠体を構成する縦枠の所定高さ位置に、歯車状の動輪と操作輪を一体形成した駆動体を該操作輪を前記縦枠前面開口から一部突出した状態で該縦枠内に定位置回動可能に枢着するとともに、縦枠上部には歯車状の従動輪と前記角度調節軸と連結する連結部を形成した連動体を従動輪を該縦枠内に位置させて定位置回動可能に枢着し、前記動輪と従動輪にはタイミングベルトを噛合張設するとともに、該動輪と従動輪の外周一部には前記タイミングベルトの抜止め用の当接板を当該動輪及び従動輪とそれぞれ同心状に近接配置した構造のものである。
【０００３】
前述のブラインド内蔵間仕切パネルは、複数枚を支柱を介して連結して室内空間を仕切る間仕切装置を構成している。このブラインドを縦枠に設けた操作輪を回転させて、該操作輪に一体形成した動輪、タイミングベルトを介して従動輪を回転させ、従動輪に直結した角度調節軸を回転させてスラットの角度調節を調節することができるのである。
【０００４】
このように、従来のブラインド内蔵間仕切パネルでは、スラットの角度調節機構を間仕切パネル（ガラスパネル）の縦枠内に組み込んでいるため、ガラス板の側方に所定幅の縦枠が必須となる構成であった。従って、複数のブラインド内蔵間仕切パネルを支柱を介して連結する場合には、隣接する間仕切パネルの両縦枠間に支柱が目地部内に臨んでいる外観とならざるを得なかった。近年は、略全面がガラス板となるような外観性のものが好まれるようになり、縦枠の表面側への露出量が非常に少なくなり、この部分に操作輪を設けることができなくなった。そのため、新たな構造のブラインド内蔵間仕切装置の出現が望まれているところである。
【特許文献１】実公平６−４３４３５号公報（第１図、第３図）
【発明の開示】
【発明が解決しようとする課題】
【０００５】
そこで、本発明が前述の状況に鑑み、解決しようとするところは、支柱を介して表裏両面に所定間隔を設けて装着した一対のガラス板の中間に、ブラインドを設けた構造のブラインド内蔵間仕切装置において、ガラス板を支持する縦枠部材の表面側への露出量が小さい場合でも、ブラインドのスラットの角度を調節するための機構を組み込むことが可能であり、またデザイン的にもスッキリとしたものとすることが可能なブラインド内蔵間仕切装置を提供する点にある。
【課題を解決するための手段】
【０００６】
本発明は、前述の課題解決のために、複数の支柱を所定間隔を隔てて立設し、隣接する一対の支柱の表面側と裏面側のそれぞれに亘って、ガラス板の両側縁部と上下縁部にそれぞれ縦枠部材と横枠部材を取付けたガラスパネル体を装着し、表裏のガラスパネル体間にブラインドを配設するとともに、該ブラインドのスラット角度調節軸を前記支柱内の上部に回動可能に設けた従動輪に接続する一方、前記支柱内の上下中間部に回動可能に動輪を設けて、前記従動輪と動輪とをタイミングベルトで連動させ、前記動輪と一体化して前記支柱内に配した操作輪の一部を該支柱に形成した開口から左右に隣接する前記両ガラスパネル体間の目地部に臨ませてなるブラインド内蔵間仕切装置を構成した（請求項１）。
【０００７】
ここで、前記支柱は、側面板の前後に前面板と後面板とを有する断面略コ字形であり、前記側面板の外側に断面略コ字形の第１支持部材をその凹溝を側方へ向けて取付けるとともに、前記側面板の内側に断面略コ字形の第２支持部材をその凹溝を側方へ向けて該支柱から突出するように取付け、前記ガラスパネル体の両縦枠部材をそれぞれ前記第１支持部材と第２支持部材に係止具にて係止してなるものである（請求項２）。
【０００８】
そして、前記支柱内の上端部に設けた断面略コ字形の天固定具の内部に前記従動輪を設けた連動体を取付けるとともに、前記支柱内の略全長に亘って取付けた前記第２支持部材の内部に前記動輪と操作輪を備えた駆動体を取付け、前記タイミングベルトを前記天固定具と第２支持部材の連続した内部空間に配してなることが好ましい（請求項３）。
【０００９】
更に、前記ガラスパネル体の縦枠部材に、内側縁から該ガラスパネル体の背面側へ延びた内板を形成し、表裏の両ガラスパネル体を支柱を利用して装着した状態で、表裏に相対向する縦枠部材の内板同士が突き合い当接してなることがより好ましい（請求項４）。
【発明の効果】
【００１０】
以上にしてなる請求項１に係る発明のブラインド内蔵間仕切装置は、ガラス板を支持する縦枠部材に無関係に、ブラインドのスラットの角度を調節するための機構を支柱の内部空間に組み込んだので、ガラスパネル体の側方に露出する縦枠部材の部分を最小限に抑制し、略全面をガラス板とすることができ、つまりあたかも縦枠部材が無いかのような外観にでき、そして操作輪の一部を支柱に形成した開口から左右に隣接する両ガラスパネル体間の目地部に臨ませたので、操作輪が目立たなくなり、ガラスパネル構造としての意匠性を何ら損なうことがない上に、ブラインドのスラットの角度調節における操作性を従来と同様に確保することができるのである。また、目地部内に操作輪を露出させる支柱の開口が位置するので、この開口の周囲を保護し、外観性を高めるための口縁カバーを設けなくても、全く外観性に問題がなく、コスト低減化に寄与するのである。
【００１１】
請求項２によれば、支柱の連結側の内外に第１支持部材及び第２支持部材を取付け、第１支持部材及び第２支持部材にガラスパネル体を装着するようにしたので、支柱の内部に対応する第２支持部材の凹溝には、表裏両面から係止具が突出することがないので、スラット角度調節機構を組み込むための空間を確保することができ、また第１支持部材及び第２支持部材によって重量のあるガラスパネル体の支持強度を高めることができ、ガラスパネル体を確実に支持することができる。
【００１２】
請求項３によれば、支柱を床面と天井間に立起状態で保持する構造を従来と同様にすることができ、またガラスパネル体を支持する第１支持部材及び第２支持部材よりも上方に延びた天固定具の内部に前記従動輪を設けた連動体を取付けることができるので、予め天固定具に連動体を取付けておくことができるので、組立作業が容易になり、支柱の内部に取付けた第２支持部材の内部に駆動体を取付け、該駆動体を支柱から突出することなく取付けることができるので、支柱の表裏両面側に第１支持部材及び第２支持部材を利用してガラスパネル体を取付ける際に邪魔になることがないのである。
【００１３】
請求項４によれば、表裏の両ガラスパネル体を支柱を利用して装着した状態で、表裏に相対向する縦枠部材の内板同士が突き合い当接してなるので、支柱の内部、つまり第２支持部材の内部に設けた駆動体、連動体及びタイミングベルトが、両内板によって隠蔽されるので、別途目隠し部材を取付ける必要がないばかりでなく、縦枠部材に幅の広い内板を有するので、表裏方向に対する曲げ強度が向上し、もってガラスパネル体の剛性を高めることができる。
【発明を実施するための最良の形態】
【００１４】
次に、添付図面に示した実施形態に基づき、本発明を更に詳細に説明する。図１〜図４は本発明に係るブラインド内蔵間仕切装置を示し、図５〜図９はその詳細を示し、図中符号１は支柱、２はガラスパネル体、３はブラインド、４はスラット角度調節機構をそれぞれ示している。
【００１５】
本発明のブラインド内蔵間仕切装置は、図１〜図４に示すように、複数の支柱１を所定間隔を隔てて立設し、隣接する一対の支柱１，１の表面側と裏面側のそれぞれに亘ってガラスパネル体２，２を装着し、表裏のガラスパネル体２，２間にブラインド３を配設するとともに、前記支柱１の内部にスラット角度調節機構４を配設した構造を有している。
【００１６】
ここで、前記ブラインド３は、図２、図３及び図５に示すように、その構造に限定されないが、ブラインド本体部５から複数の連結紐で連係された多数のスラット６，…が垂れ下がり、ブラインド本体部５の一側方から横方向に突出した角度調節軸７を回転させることにより、スラット６，…の角度を同時に変えることができるとともに、ブラインド本体部５の内部に設けた巻取り機構（図示せず）によってスラット６，…を昇降させることができるものである。
【００１７】
そして、前記スラット角度調節機構４は、図４〜図９に示すように、連動体８と、駆動体９と、タイミングベルト１０からなり、前記連動体８は、前記角度調節軸７に連結する従動輪１１を水平軸芯回りに回動可能に保持する軸受部材１２とから構成され、前記駆動体９は、動輪１３と操作輪１４とが一体となった回転部材を水平軸芯回りに回動可能に保持する操作フレーム１５とから概略構成されている。そして、前記動輪１３と従動輪１１とにタイミングベルト１０を巻回し、適宜前記駆動体９の操作フレーム１５に設けたテンションローラ１６でタイミングベルト１０に張力を付与し、前記操作輪１４を回転させることにより、動輪１３、タイミングベルト１０、従動輪１１を介して、該従動輪１１に連結した前記角度調節軸７を回転し、スラット６，…の角度を調節するのである。
【００１８】
そして、本発明のブラインド内蔵間仕切装置は、複数の支柱１を所定間隔を隔てて立設し、隣接する一対の支柱１，１の表面側と裏面側のそれぞれに亘って、ガラス板１７の両側縁部と上下縁部にそれぞれ縦枠部材１８，１８と横枠部材１９，１９を取付けたガラスパネル体２を装着し、表裏のガラスパネル体２，２間にブラインド３を配設するとともに、該ブラインド３のスラット角度調節軸７を前記支柱１内の上部に回動可能に設けた従動輪１１に接続する一方、前記支柱１内の上下中間部に回動可能に動輪１３を設けて、前記従動輪１１と動輪１３とをタイミングベルト１０で連動させ、前記動輪１３と一体化して前記支柱１内に配した操作輪１４の一部を該支柱１に形成した開口２０から左右に隣接する前記両ガラスパネル体２，２間の目地部２１に臨ませてなるものである。
【００１９】
更に詳しくは、本発明における間仕切装置の構造は、基本的にはガラスパネル装置と同様であり、床面Ｆに敷設した地レール２２と天井Ｓに取付けた天レール２３との間に支柱１を立設し、該支柱１の一側面側に第１支持部材２４を取付け、他側面側に第２支持部材２５を取付け、前記ガラスパネル体２の両側部を係止具２６，…を用いて第１支持部材２４と第２支持部材２５とに係止して取付けるのである。
【００２０】
ここで、前記ガラスパネル体２は、図２及び図３に示すように、予め所定の大きさに切断したガラス板１７の両側縁部と上下縁部にそれぞれ縦枠部材１８，１８と横枠部材１９，１９の保持溝２７，…に嵌合して取付けるとともに、各角部で縦枠部材１８と横枠部材１９とを連結して、ガラス板１７の周囲を枠体で保護している。このように、パネル製造工場にて、ガラス板１７の周囲を縦枠部材１８，１８と横枠部材１９，１９からなる枠体で保護してガラスパネル体２としたので、このガラスパネル体２を施工現場へ搬送し、通常のスチール製パネル板と同様に取り扱って施工することができる。
【００２１】
更に詳しくは、前記縦枠部材１８及び横枠部材１９は、アルミニウム製の押出し型材であり、縦枠部材１８は、前記ガラス板１７の背面に接合する裏板２８の外側縁に該ガラス板１７の側端面に対応する側板２９及び該側板２９の前縁から前記裏板２８に平行に内方へ延びた表片３０を形成し、前記裏板２８、側板２９及び表片３０とでガラス板１７の側縁部を嵌合する保持溝２７を形成するとともに、前記裏板２８の内側縁から背面側へ延びた内板３１を形成し、該内板３１の外側に前記裏板２８と間に空間を形成して取付板３２を延設したものである。そして、前記縦枠部材１８の前記取付板３２には、前記係止具２６を用いて支柱１へ取付けるための取付孔（図示せず）を上下方向へ所定間隔を隔てて複数形成している。ここで、前記縦枠部材１８の内板３１は、表裏の両ガラスパネル体２，２を支柱１を利用して装着した状態で、表裏に相対向する縦枠部材１８，１８の内板３１，３１同士が突き合い当接するように幅広に形成している。
【００２２】
次に、前記ガラスパネル体２を両側の支柱１，１に取付ける構造を簡単に説明する。前記ガラスパネル体２は、直接前記支柱１に取付けるのではなく、支柱１の側面側に取付けた該支柱１より前後幅が小さい前記第１支持部材２４と第２支持部材２５とに係止具２６，…を用いて取付けるのである。ここで、前記支柱１は、側面板３３の前後に前面板３４と後面板３５とを有する断面略コ字形で、前面板３４と後面板３５の端縁を内向きに折曲して補強縁３６，３６を形成したものである。そして、前記支柱１の下端にはアジャスター３７の支柱部を嵌着し、また上端には天固定具３８を嵌着している。
【００２３】
また、前記第１支持部材２４は、固定板３９の表裏両側に支持板４０，４０を形成した断面略コ字形の部材であり、その凹溝部４１を側方へ向けて前記支柱１の側面板３３の外面に前記固定板３９を面接合状態でネジにて取付ける。そして、前記第１支持部材２４の両支持板４０，４０には、前記ガラスパネル体２の取付孔に応じて係止具２６を係止するための係止孔（図示せず）を上下方向に複数形成している。また、前記第２支持部材２５は、横幅寸法が前記第１支持部材２４よりも大きくした以外には同じであるので、同一構成には同一符号を付してその説明は省略する。前記第１支持部材２４と異なる点は、前記第２支持部材２５の凹溝部４１を側方へ向けてその大部分を前記支柱１の内部に収容した状態で、前記支柱１の側面板３３の内面に前記固定板３９を面接合状態で前述と同じネジにて取付ける。そして、前記支柱１から側方へ突出した前記第２支持部材２５の両支持板４０，４０の突出部分に係止孔を上下方向に複数形成している。
【００２４】
前記係止具２６は、図２に示すように、中央部にくびれ部４２を有し、その両側に係止片４３，４３を有し、一方の係止片４３を前記第１支持部材２４と第２支持部材２５の係止孔に係止しておき、該前記第１支持部材２４と第２支持部材２５から突出した他方の係止片４３を前記ガラスパネル体２の取付板３２に形成した取付孔内に挿入して係止するのである。
【００２５】
先ず、前記ブラインド本体部５は、図２に示すように、前記天レール２３の溝内に下向きに取付けた断面略コ字形の保持部材４４に下方から嵌着して取付けるようになっている。つまり、保持部材４４には凹溝内に係止爪４５，４５が突設されており、該凹溝内にブラインド本体部５を嵌入すると、係止爪４５，４５によって外れ止めがなされた状態で嵌着するのである。
【００２６】
次に、図４、図５、図７及び図８に基づいて、前記連動体８の構造及び取付け構造を説明する。前記連動体８は、前記支柱１の上端部に装着し、前記天レール２３に支柱１を保持するための天固定具３８に予め固定している。尚、前記連動体８は、支柱１を立設した後に、前記天固定具３８にネジ止めしても良い。前記天固定具３８は、断面略コ字形の部材であり、前記支柱１の補強縁３６，３６の内面側に両側片４６，４６を当接した状態で、連結片４７をネジ４８によって側面板３３を押圧して保持する。そして、前記連動体８は、前記天固定具３８の内部にネジ止めあるいは溶接にて固定する軸受部材１２に前記従動輪１１を水平な軸芯回りに回動可能に保持し、その軸部の一端を軸受部材１２から側方へ突出させて連結軸４９としている。そして、前記支柱１を天固定具３８をに嵌着するとともに、角度調節軸７を前記連動体８の連結軸４９に連結し、前記従動輪１１と角度調節軸７とを直結するのである。
【００２７】
そして、図４、図６、図７、図９に基づいて、前記駆動体９の構造及び取付け構造を説明する。前記駆動体９は、前記支柱１の上下略全長に渡った内部に取付けた前記第２支持部材２５の凹溝部４１内に装着する。前記駆動体９は、操作フレーム１５に動輪１３と操作輪１４とが一体となった回転部材を水平軸芯回りに回動可能に保持するとともに、テンションローラ１６を上方に並設している。前記操作フレーム１５は、縦長基板５０の上下端部に固定片５１，５１を設け、その中間に平行な軸受板５２，５２を折曲形成し、両軸受板５２，５２の間に前記動輪１３と操作輪１４とが一体となった回転部材を装着するとともに、テンションローラ１６を、軸を前後にずらせて装着している。また、前記操作フレーム１５の固定片５１，５１には、上下に長い長孔５３，５３を形成している。
【００２８】
そして、前記駆動体９を取付ける支柱１の前面板３４には開口２０を形成するとともに、該開口２０に対応した前記第２支持部材２５の両支持板４０，４０には該開口２０の上下寸法より若干大きな切欠部５４，５４を形成している。尚、両支持板４０，４０にそれぞれ切欠部５４を設けたのは、パネルの前後両面に選択的に駆動体９の操作輪１４を露出させる配置で取付けることができるようにするためである。そして、前記操作フレーム１５の固定片５１，５１の長孔５３，５３に対応して、切欠部５４の上下部に対応する支持板４０には螺孔５５，５５を形成し、前記長孔５３を通したネジ５６を螺合できるようにしている。尚、前記ネジ５６がタッピンネジであれば、前記螺孔５５は下穴でよい。また、前記螺孔５５，５５に対応する支柱１の前面板３４には、前記ネジ５６の頭部が通過する通孔５７，５７を形成している。前記第２支持部材２５は、前記支柱１の両補強縁３６，３６に略接触するように取付けられているので、該第２支持部材２５の支持板４０と支柱１の前面板３４との間には前記操作フレーム１５の固定片５１，５１を挿入するのに十分な空間を有している。尚、前記操作フレーム１５が側方から通過できるように前記支柱１の補強縁３６は開口２０よりも大き切欠している。
【００２９】
そして、前記タイミングベルト１０は、所定長さに切断した状態のものを用意し、前記角度調節軸７を連動体８の連結軸４９に連結する前に、その端部から従動輪１１を回転させながら所定長さ巻き込んだ状態にしておく。それから、前述のように角度調節軸７を連動体８の連結軸４９に連結する。そして、前記タイミングベルト１０の端部から前記駆動体９の動輪１３に該動輪１３を回転させながら巻き込み、それからタイミングベルト１０の端部同士を連結する。そして、前記駆動体９を引き下げて、タイミングベルト１０に張力を加えながら、操作フレーム１５の固定片５１，５１を前記第２支持部材２５の支持板４０と支柱１の前面板３４との間に挿入し、前記支持板４０の前面側に固定片５１，５１を当接した状態で、前記ネジ５６，５６を支柱１の通孔５７，５７から挿入して固定片５１，５１の長孔５３，５３を通して螺孔５５，５５に螺合する。この状態で、前記駆動体９の操作輪１４の円周部の一部が支柱１の開口２０から前面側へ露出する。それから、前述のように、支柱１の表裏両面側に、前記第１支持部材２４と第２支持部材２５とを利用してガラスパネル体２，２を装着するのである。この際に、左右に隣接する両ガラスパネル体２，２の間に形成される目地部２１に前記操作輪１４の一部が露出するのである。
【図面の簡単な説明】
【００３０】
【図１】本発明のブラインド内蔵間仕切装置の正面図である。
【図２】同じく縦断面図である。
【図３】同じく横断面図である。
【図４】角度調節機構を示す一部省略縦断面図である。
【図５】連動体とその取付構造を示す分解斜視図である。
【図６】駆動体とその取付構造を示す分解斜視図である。
【図７】角度調節機構を支柱に取付ける状態を示す説明用正面図である。
【図８】連動体を取付けた状態の拡大横断面図である。
【図９】駆動体を取付ける前と後を示す拡大横断面図である。
【符号の説明】
【００３１】
１  支柱                ２  ガラスパネル体
３  ブラインド          ４  角度調節機構
５  ブラインド本体部    ６  スラット
７  角度調節軸          ８  連動体
９  駆動体              １０  タイミングベルト
１１  従動輪            １２  軸受部材
１３  動輪              １４  操作輪
１５  操作フレーム      １６  テンションローラ
１７  ガラス板          １８  縦枠部材
１９  横枠部材          ２０  開口
２１  目地部            ２２  地レール
２３  天レール          ２４  第１支持部材
２５  第２支持部材      ２６  係止具
２７  保持溝            ２８  裏板
２９  側板              ３０  表片
３１  内板              ３２  取付板
３３  側面板            ３４  前面板
３５  後面板            ３６  補強縁
３７  アジャスター      ３８  天固定具
３９  固定板            ４０  支持板
４１  凹溝部            ４２  くびれ部
４３  係止片            ４４  保持部材
４５  係止爪            ４６  側片
４７  連結片            ４８  ネジ
４９  連結軸            ５０  基板
５１  固定片            ５２  軸受板
５３  長孔              ５４  切欠部
５５  螺孔              ５６  ネジ
５７  通孔              Ｆ  床面
Ｓ  天井
【図１】
2006316556.tif 000003
【図２】
2006316556.tif 000004
【図３】
2006316556.tif 000005
【図４】
2006316556.tif 000006
【図５】
2006316556.tif 000007
【図６】
2006316556.tif 000008
【図７】
2006316556.tif 000009
【図８】
2006316556.tif 000010
【図９】
2006316556.tif 000011